(57)【要約】【課題】部品点数が少なく作業性よくヘッダーを固定することができるヘッダー固定バンドを提供する。【解決手段】取付面に固定状態に立設される脚部２と、ヘッダー３を挟持するために半割れ状に形成されるバンド部４と、を一体的に有する一対の半割れ構成体５，５が、単一の金型で同一の形状に形成され、前記バンド部４の上端に形成されるヒンジ部６，６同士が、ピン軸７によって回動自在に連結され、かつ、脚部２には、ワンタッチ式の係合部１１が形成される。【選択図】  図１
0003112512.tif 000002
【実用新案登録請求の範囲】
【請求項１】
取付面（１）に固定状態に立設される脚部（２）と、
ヘッダー（３）を挟持するために半割れ状に形成されるバンド部（４）と、を一体的に有する半割れ構成体（５）を一対備えてなることを特徴とするヘッダー固定バンド。
【請求項２】
前記一対の半割れ構成体（５）（５）は、単一の金型で同一の形状に形成されることを特徴とする請求項１に記載のヘッダー固定バンド。
【請求項３】
前記バンド部（４）の上端に形成されるヒンジ部（６）（６）同士が、ピン軸（７）によって回動自在に連結されることを特徴とする請求項１又は２に記載のヘッダー固定バンド。
【請求項４】
前記脚部（２）は、締結部材（８）によって取付面（１）に固定されるベース部分（９）と、前記ベース部分（９）から立ち上がり状に形成される脚部分（１０）と、からなることを特徴とする請求項１乃至３の何れかに記載のヘッダー固定バンド。
【請求項５】
前記脚部（２）には、ワンタッチ式の係合部（１１）が形成されることを特徴とする請求項１乃至４の何れかに記載のヘッダー固定バンド。
【請求項６】
前記係合部（１１）は、係止爪（１２）と、該係止爪（１２）を係止させるの係止孔（１３）と、を備えていることを特徴とする請求項５に記載のヘッダー固定バンド。
【請求項７】
前記係止爪（１２）は切り起こしによって形成され、前記係止孔（１３）は打ち抜きによって形成されることを特徴とする請求項５又は６に記載のヘッダー固定バンド。
【考案の詳細な説明】
【技術分野】
【０００１】
本考案は、住宅等における給水・給湯用の配管装置に用いられるヘッダーを固定するためのヘッダー固定バンドに関する。
【背景技術】
【０００２】
近時は、住宅等における給水・給湯用の配管系の施工にヘッダーが用いられるようになった。ヘッダーを用いた配管施工では、通常、ヘッダーに対して給水主管や給湯主管をそれぞれ接続する一方、ヘッダーに設けられている複数の接続口と各水回り設備に設けられている水栓とを分岐配管で接続するように行われる。
【０００３】
このような施工には、ヘッダーを固定するための固定部材が用いられる。そのヘッダー固定部材は、例えば、床等の設置対象面に固定される脚部材と、その脚部材に接続されてヘッダーを固定保持するために半割れの円弧状に形成された保持部材とを備え、ヘッダーを設置対象面から離間した位置に固定保持できるように構成される（例えば、特許文献１，２参照）。
【０００４】
【特許文献１】特開２００１−１５９１６８号公報
【特許文献２】特開２００１−１５９１７０号公報
【考案の開示】
【考案が解決しようとする課題】
【０００５】
上記従来例等のヘッダー固定部材は、各別体に形成された脚部材と保持部材の２部材からなるためコスト高であり、かつ、施工現場で脚部材と保持部材をボルト締結等で固定しなければならないため、特に、狭隘な箇所においては施工作業性がよくないという難点があった。
【０００６】
本考案は、このような実情に鑑みてなされ、部品点数が少なく作業性よくヘッダーを固定することができるヘッダー固定バンドを提供することを目的とする。
【課題を解決するための手段】
【０００７】
（１）本考案のヘッダー固定バンドは、取付面１に固定状態に立設される脚部２と、ヘッダー３を挟持するために半割れ状に形成されるバンド部４と、を一体的に有する半割れ構成体５を一対備えてなることを特徴とする。
【０００８】
このような構成によれば、一対のバンド部４，４間にヘッダー３を挟持させて脚部２，２を、例えば、ボルト等の締結部材によって取付面１に固定状態に立設すれば、ヘッダー３を取付面１から離間させた状態に固定保持させることができる。
【０００９】
（２）前記一対の半割れ構成体５，５は、単一の金型で同一の形状に形成されるのが好ましい。このようにすれば、金型代が少なくて済み、コスト安にヘッダー固定バンドを提供することができる。
【００１０】
（３）前記バンド部４の上端に形成されるヒンジ部６，６同士が、ピン軸７によって回動自在に連結されるのが好ましい。このようにすれば、簡易な構成でバンド部４，４を開閉自在に構成することができる。
【００１１】
（４）前記脚部２は、締結部材８によって取付面１に固定されるベース部分９と、前記ベース部分９から立ち上がり状に形成される脚部分１０と、からなるのが好ましい。このようにすれば、板の曲げ加工によってベース部分９から脚部分１０を立ち上がり状に形成することができる。
【００１２】
（５）前記脚部２には、ワンタッチ式の係合部１１が形成されるのが好ましい。このようにすれば、係合部１１，１１同士をワンタッチで係合させることによって、作業性よくバンド部４，４間にヘッダー３を挟持させることができる。
【００１３】
（６）前記係合部１１は、係止爪１２と、該係止爪１２を係止させるの係止孔１３と、を備えているのが好ましい。このようにすれば、別部材を要することなく、簡易な加工によって、係合部１１を形成することができる。
【００１４】
（７）前記係止爪１２は切り起こしによって形成され、前記係止孔１３は打ち抜きによって形成されるのが好ましい。例えば、順送型プレス工程により、まず、打ち抜き加工によって係止孔１３を形成した後、係止爪１２の先端の曲げ加工を行い、次いで、切り起こしによって係止爪１２を切り起こせばよい。
【考案の効果】
【００１５】
本考案に係るヘッダー固定バンドは、取付面に固定状態に立設される脚部と、ヘッダーを挟持するために半割れ状に形成されるバンド部と、を一体的に有する半割れ構成体を一対備えるので、一対のバンド部間にヘッダーを挟持させて脚部を、例えば、ボルト等の締結部材によって取付面に固定状態に立設すれば、ヘッダーを取付面から離間させた状態に固定保持させることができる。特に、このような一対の半割れ構成体を、同一金型で形成すれば、単一の金型でヘッダー固定バンドを形成することができるため、金型代が少なくて済み、コスト安を実現することができる。
【考案を実施するための最良の形態】
【００１６】
以下に、本考案の最良の実施の形態に係るヘッダー固定バンドについて図面を参照しつつ詳細に説明する。
図１（ａ）はヘッダー固定バンドＢの平面図、（ｂ）は正面図、（ｃ）は側面図、（ｄ）は底面図、図２（ａ）は半割れ構成体の平面図、（ｂ）は正面図、（ｃ）は側面図、（ｄ）は底面図、図３（ａ）はヘッダーを取付面に固定保持した状態の平面図、（ｂ）は側面図、（ｃ）は正面図である。これらの図にて、符号２は、取付面１に固定状態に立設される脚部、４はヘッダー３を挟持するために半割れ状に形成されるバンド部、５は、脚部２とバンド部４を、一体的に有する半割れ構成体であり、その一対が同一形状に形成される。
【００１７】
脚部２は、ボルト等の締結部材８によって取付面１に固定されるベース部分９と、そのベース部分９から立ち上がり状に形成される脚部分１０からなり、バンド部４は、半円弧状に形成され、その上端に形成されるヒンジ部６，６同士が、ピン軸７によって回動自在に連結される。その脚部２には、ワンタッチ式の係合部１１が形成され、その係合部１１は、切り起こしによって形成される係止爪１２と、該係止爪１２を係止させるために打ち抜きによって形成される係止孔１３と、を備えている。
【００１８】
このような係止孔１３と係止爪１２を有する半割れ構成体５は、例えば、順送型プレス工程により単一の金型で容易に形成することができる。即ち、まず、打ち抜き加工によって矩形状の係止孔１３を形成した後、打ち残された側縁部の係止爪１２となる先端部を略Ｖ字状に曲げ加工を行い、次いで、切り起こしによって係止爪１２を切り起こし、以下、順次、ヒンジ部６を形成するためのカール曲げ、バンド部４を形成するためのＲ曲げ、脚部２を形成するための９０°曲げ等を行えばよい。
【００１９】
ヘッダー３は、金属円筒材からなるヘッダー本体３１に複数の接続口３２を有し、そのヘッダー本体３１の外側には、接続口３２を外部に突出させた状態で弾力性のある断熱材３３が巻装されており、ヘッダー本体３１の端部には、図示省略の給水主管や給湯主管又は栓体を接続するための内ねじが形成されている。このようなヘッダー３の両端に、図４（ａ）〜（ｃ）に示すように、ヘッダー固定バンドＢ，Ｂをワンタッチ動作で容易に挟持状態に被嵌させることができる。
【００２０】
図４（ａ）は、ヘッダー固定バンドＢの半割れ構成体５，５同士を開いてヘッダー３に被嵌させた状態で、係合部１１，１１は互いに係合していない。図４（ｂ）は、両半割れ構成体５，５を閉じて係合部１１，１１の係止爪（１２）（１２）を係止孔（１３）（１３）に当接させて変形させている状態を示す。図４（ｃ）は、さらに、両半割れ構成体５，５を閉じ合わせて係合部１１，１１の係止爪（１２）（１２）を係止孔（１３）（１３）に完全に係止させた状態を示す。この状態で、ヘッダー３がヘッダー固定バンドＢに安定な状態に挟持される。なお、実際には、上述の図４（ａ）から図４（ｃ）に至る一連のステップは、ワンタッチ動作で行うことができる。
【００２１】
従って、施工現場では、ヘッダー固定バンドＢ，Ｂにヘッダー３が挟持された状態で位置決めした後、各ベース部分９に形成したボルト孔９１，９１に締結部材としてのボルト８，８を挿入して取付面１に締結すれば取付作業が完了するため、施工作業性が顕著に向上する。また、ヘッダー固定バンドＢ，Ｂにヘッダー３が挟持された状態で位置決めするため、容易かつ確実に精度の高い位置決めを行うことができ、施工精度の向上を図ることができる。これにより、施工不良による水漏れ等の不具合も解消することができる。
【００２２】
このようなワンタッチ式ヘッダー固定バンドＢを構成する一対の半割れ構成体５，５は、上述のように、同一形状に形成されるため、単一の金型で形成することができる。従って、金型代が少なくて済み、かつ、歩留りロスが少なく、コスト安を実現することができる。また、部品点数が少なく、ピン軸７を介して両半割れ構成体５，５を一体化しているため、取り扱いが容易であり、管理保管、現場への調達等も容易である。
【００２３】
なお、本考案は、実施の形態に限定されることなく、考案の要旨を逸脱しない限りにおいて、設計変更や改良等は自由であり、例えば、半円弧状に形成されるバンド部４には、補強用のリブを形成してもよい。脚部２を構成するベース部分９と脚部分１０にも、補強用のリブを形成してもよい。そのバンド部４は、半円弧状でなくてもよく、矩形状等に形成されてもよい。両半割れ構成体５，５は、ピン軸７により連結されるだけでなく、例えば、バンド部４，４の上端同士が、嵌合、係合等によって連結されてもよい。
【００２４】
また、係合部１１は、係止孔１３を形成することなく、切り起こし等によって形成される係止爪同士を係合させるようにしてもよく、係止爪を他方の脚部分１０の側縁に係合させるようにしもよい。そして、本考案は、ヘッダー固定バンドの加工工程を特定するものではなく、順送型プレス工程以外の工程によって形成してもよい。さらに、素材を金属材に特定するものではなく、例えば、硬質の樹脂材で一体成型によりヘッダー固定バンドを形成してもよい。
【図面の簡単な説明】
【００２５】
【図１】（ａ）は本考案の実施の形態に係るヘッダー固定バンドの平面図、（ｂ）は正面図、（ｃ）は側面図、（ｄ）は底面図である。
【図２】（ａ）は同半割れ構成体の平面図、（ｂ）は正面図、（ｃ）は側面図、（ｄ）は底面図である。
【図３】（ａ）は同ヘッダーを取付面に固定保持した状態の平面図、（ｂ）は側面図、（ｃ）は正面図である。
【図４】（ａ）は、同半割れ構成体同士を開いてヘッダーに被嵌させた状態、（ｂ）は、両半割れ構成体を閉じて係止爪を係止孔に当接させて変形させた状態、（ｃ）は、両半割れ構成体を閉じ合わせて係止爪を係止孔に完全に係止させた状態を示す。
【符号の説明】
【００２６】
１…取付面、２…脚部、３…ヘッダー、４…バンド部、５…半割れ構成体、６…ヒンジ部、７…ピン軸、８…締結部材、１０…脚部分、１１…係合部、１２…係止爪、１３…係止孔
【図１】
0003112512.tif 000003
【図２】
0003112512.tif 000004
【図３】
0003112512.tif 000005
【図４】
0003112512.tif 000006